【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
混練可能な接着性シーラント組成物であって、
第１の材料の２つ以上の外側のエンベロープと、
前記第１の材料によって囲まれる前記第１の材料の前記２つ以上のエンベロープ内にそれぞれ封入された第２の内側の材料と、を含み、
前記第１の材料は、未硬化の反応性ポリマーまたは樹脂組成物を含み、前記第２の材料は、前記未硬化の反応性ポリマーまたは樹脂組成物を硬化させることができる硬化剤を含み、
前記組成物を混練して実質的に均質な混合物を形成すると、前記第１の材料および前記第２の材料が反応して前記ポリマーまたは樹脂組成物を硬化させ、それにより接着性シーラントを形成する、混練可能な接着性シーラント組成物。
【請求項２】
前記硬化剤は、前記未硬化の反応性ポリマーまたは樹脂組成物の約５０〜約１５０％を硬化させるのに十分な量で存在する、請求項１に記載の混練可能な接着性シーラント組成物。
【請求項３】
前記第１の材料および／または前記第２の材料の前記長手方向部分は、円形、楕円形、矩形または正方形の断面を有する、請求項１または２に記載の混練可能な接着性シーラント組成物。
【請求項４】
前記第１の材料の前記長手方向部分および前記第２の材料の前記長手方向部分は、それぞれ約１０ｍｍ２〜約５００ｍｍ２の面積を有する断面を有する、請求項１〜３のいずれか一項に記載の混練可能な接着性シーラント組成物。
【請求項５】
前記混練可能な接着性シーラント組成物の幅は、約５ｍｍ〜約５０ｍｍである、請求項１〜４のいずれか一項に記載の混練可能な接着性シーラント組成物。
【請求項６】
前記混練可能な接着性シーラント組成物は、テープとして提供される、請求項１〜５のいずれか一項に記載の混練可能な接着性シーラント組成物。
【請求項７】
前記混練可能な接着性シーラント組成物は、スティックとして提供される、請求項１〜５のいずれか一項に記載の混練可能な接着性シーラント組成物。
【請求項８】
前記混練可能な接着性シーラント組成物は、保護コーティング、ケーシングまたはフィルムで囲まれる、請求項１〜７のいずれか一項に記載の混練可能な接着性シーラント組成物。
【請求項９】
前記未硬化の反応性ポリマーまたは樹脂組成物は、未硬化のエポキシ樹脂を含む、請求項１〜８のいずれか一項に記載の混練可能な接着性シーラント組成物。
【請求項１０】
前記硬化剤は、ポリメルカプタンアミン硬化剤を含む、請求項１〜９のいずれか一項に記載の混練可能な接着性シーラント組成物。
【請求項１１】
前記混練可能な接着性シーラント組成物は、テープとして提供される、請求項１〜１０に記載の混練可能な接着性シーラント組成物。
【請求項１２】
ａ）各エンベロープは実質的に同じ形状である、または
ｂ）エンベロープの複数の形状が存在する、請求項１１に記載の混練可能な接着性シーラント組成物。
【請求項１３】
混練可能な接着性シーラント組成物であって、
第１の材料の第１の、外側の、長手方向部分と、
第２の材料の第２の、内側の、長手方向部分と、を含み、
前記第１の長手方向部分は、前記第２の長手方向部分の長さに沿って、前記第２の長手方向部分を実質的に囲み、
前記第１の材料は、未硬化の反応性ポリマーまたは樹脂組成物を含み、前記第２の材料は、前記未硬化の反応性ポリマーまたは樹脂組成物を硬化させることができる硬化剤を含み、
前記組成物を混練して実質的に均質な混合物を形成すると、前記第１の材料および前記第２の材料が反応して前記ポリマーまたは樹脂組成物を硬化させ、それにより接着性シーラントを形成し、
前記混練可能な接着性シーラント組成物の長さに沿って、１つまたは複数の横方向の折り目または切り込み（必要に応じて、穿孔された）を設け、前記混練可能な接着性シーラント組成物を２つ以上のセグメントに分割する、混練可能な接着性シーラント組成物。
【請求項１４】
請求項２〜１０のいずれか一項に記載の特徴を含む、請求項１３に記載の混練可能な接着性シーラント組成物。
【請求項１５】
ａ）前記折り目または切り込みは、各セグメントが実質的に同じ形状を有するように、規則的に間隔を空けられる、または
ｂ）前記折り目または切り込みは、２つ以上の形状のセグメントが存在するように、不規則に間隔を空けられる、請求項１３または１４に記載の混練可能な接着性シーラント組成物。
【請求項１６】
混練可能な接着性シーラント組成物を製造するための方法であって、
未硬化の反応性ポリマーまたは樹脂組成物を含む第１の材料、および前記未硬化の反応性ポリマーまたは樹脂組成物を硬化させることができる硬化剤を含む第２の材料を供給することと、
請求項１〜１５のいずれか一項に記載の混練可能な接着性シーラント組成物を形成するために前記第１の材料および前記第２の材料を共押出しすることと、を含む、方法。
【請求項１７】
前記第１の材料および前記第２の材料は、スクリュー押出機を使用して共押出しされる、請求項１６に記載の方法。
【請求項１８】
前記方法はさらに、押し出された前記混練可能な接着性シーラント組成物を保護コーティング、ケーシングまたはフィルムで覆う工程を含む、請求項１６または１７に記載の方法。
【請求項１９】
前記第１の材料および前記第２の材料は、矩形の断面を有するダイを通して共押出しされ、テープとして提供される混練可能な接着性シーラント組成物を形成する、請求項１６〜１８のいずれか一項に記載の方法。
【請求項２０】
前記混練可能な接着性シーラント組成物を平坦化してテープを形成する工程をさらに含む、請求項１６〜１９のいずれか一項に記載の方法。
【請求項２１】
前記混練可能な接着性シーラント組成物の長さに沿って１つまたは複数の横方向の折り目または切り込みを作製し、前記混練可能な接着性シーラント組成物を２つ以上のセグメントに分割する工程をさらに含む、請求項１６〜２０のいずれか一項に記載の方法。
【請求項２２】
接着剤としての、または表面、例えば石材、セラミック、金属、木材、もしくはプラスチックの表面のメンテナンスもしくは修理における、請求項１〜１５のいずれか一項に記載の混練可能な接着性シーラント組成物の使用。
【手続補正２】
【補正対象書類名】明細書
【補正対象項目名】００９７
【補正方法】変更
【補正の内容】
【００９７】
本発明の好ましい実施形態が本明細書に示され、説明されてきたが、このような実施形態が例としてのみ提供されていることは当業者には明らかであろう。当業者は、本発明から逸脱することなく、多数の変形、変更、および置換に想到するであろう。本明細書に記載されている本発明の実施形態の様々な代替案が、本発明を実施する際に使用されることができること、およびこれらの特許請求の範囲内の方法および構造ならびにそれらの等価物は、それによってカバーされることは言うまでもない。  本発明は、例えば以下の項目を提供する。
（項目１）
混練可能な接着性シーラント組成物であって、
第１の材料の第１の、外側の、長手方向部分と、
第２の材料の第２の、内側の、長手方向部分と、を含み、
前記第１の長手方向部分は、前記第２の長手方向部分の長さに沿って、前記第２の長手方向部分を実質的に囲み、
前記第１の材料は、未硬化の反応性ポリマーまたは樹脂組成物を含み、前記第２の材料は、前記未硬化の反応性ポリマーまたは樹脂組成物を硬化させることができる硬化剤を含み、
前記組成物を混練して実質的に均質な混合物を形成すると、前記第１の材料および前記第２の材料が反応して前記ポリマーまたは樹脂組成物を硬化させ、それにより接着性シーラントを形成する、混練可能な接着性シーラント組成物。
（項目２）
前記硬化剤は、前記未硬化の反応性ポリマーまたは樹脂組成物の約５０〜約１５０％を硬化させるのに十分な量で存在する、項目１に記載の混練可能な接着性シーラント組成物。
（項目３）
前記第１の材料および／または前記第２の材料の前記長手方向部分は、円形、楕円形、矩形または正方形の断面を有する、項目１または２に記載の混練可能な接着性シーラント組成物。
（項目４）
前記第１の材料の前記長手方向部分および前記第２の材料の前記長手方向部分は、それぞれ約１０ｍｍ２〜約５００ｍｍ２の面積を有する断面を有する、項目１〜３のいずれか一項に記載の混練可能な接着性シーラント組成物。
（項目５）
前記混練可能な接着性シーラント組成物の幅は、約５ｍｍ〜約５０ｍｍである、項目１〜４のいずれか一項に記載の混練可能な接着性シーラント組成物。
（項目６）
前記混練可能な接着性シーラント組成物は、テープとして提供される、項目１〜５のいずれか一項に記載の混練可能な接着性シーラント組成物。
（項目７）
前記混練可能な接着性シーラント組成物は、スティックとして提供される、項目１〜５のいずれか一項に記載の混練可能な接着性シーラント組成物。
（項目８）
前記混練可能な接着性シーラント組成物は、保護コーティング、ケーシングまたはフィルムで囲まれる、項目１〜７のいずれか一項に記載の混練可能な接着性シーラント組成物。
（項目９）
前記未硬化の反応性ポリマーまたは樹脂組成物は、未硬化のエポキシ樹脂を含む、項目１〜８のいずれか一項に記載の混練可能な接着性シーラント組成物。
（項目１０）
前記硬化剤は、ポリメルカプタンアミン硬化剤を含む、項目１〜９のいずれか一項に記載の混練可能な接着性シーラント組成物。
（項目１１）
前記混練可能な接着性シーラント組成物の長さに沿って、１つまたは複数の横方向の折り目または切り込み（必要に応じて、穿孔された）を設け、前記混練可能な接着性シーラント組成物を２つ以上のセグメントに分割する、項目１〜１０のいずれか一項に記載の混練可能な接着性シーラント組成物。
（項目１２）
ａ）前記折り目または切り込みは、各セグメントが実質的に同じ形状を有するように、規則的に間隔を空けられる、または
ｂ）前記折り目または切り込みは、２つ以上の形状のセグメントが存在するように、不規則に間隔を空けられる、
項目１１に記載の混練可能な接着性シーラント組成物。
（項目１３）
混練可能な接着性シーラント組成物であって、
第１の材料の１つまたは複数の外側のエンベロープと、
前記第１の材料によって囲まれる前記第１の材料の前記１つまたは複数のエンベロープ内に封入された第２の内側の材料と、を含み、
前記第１の材料は、未硬化の反応性ポリマーまたは樹脂組成物を含み、前記第２の材料は、前記未硬化の反応性ポリマーまたは樹脂組成物を硬化させることができる硬化剤を含み、
前記組成物を混練して実質的に均質な混合物を形成すると、前記第１の材料および前記第２の材料が反応して前記ポリマーまたは樹脂組成物を硬化させ、それにより接着性シーラントを形成する、混練可能な接着性シーラント組成物。
（項目１４）
項目２〜１０のいずれか一項に記載の特徴を含む、項目１３に記載の混練可能な接着性シーラント組成物。
（項目１５）
前記混練可能な接着性シーラント組成物は、テープとして提供される、項目１３または１４に記載の混練可能な接着性シーラント組成物。
（項目１６）
前記組成物は、前記第１の材料の２つ以上の外側のエンベロープを含む、項目１３〜１５のいずれか一項に記載の混練可能な接着性シーラント組成物。
（項目１７）
ａ）各エンベロープは実質的に同じ形状である、または
ｂ）エンベロープの複数の形状が存在する、項目１６に記載の混練可能な接着性シーラント組成物。
（項目１８）
混練可能な接着性シーラント組成物を製造するための方法であって、
未硬化の反応性ポリマーまたは樹脂組成物を含む第１の材料、および前記未硬化の反応性ポリマーまたは樹脂組成物を硬化させることができる硬化剤を含む第２の材料を供給することと、
項目１〜１７のいずれか一項に記載の混練可能な接着性シーラント組成物を形成するために前記第１の材料および前記第２の材料を共押出しすることと、を含む、方法。
（項目１９）
前記第１の材料および前記第２の材料は、スクリュー押出機を使用して共押出しされる、項目１８に記載の方法。
（項目２０）
前記方法はさらに、押し出された前記混練可能な接着性シーラント組成物を保護コーティング、ケーシングまたはフィルムで覆う工程を含む、項目１８または１９に記載の方法。
（項目２１）
前記第１の材料および前記第２の材料は、矩形の断面を有するダイを通して共押出しされ、テープとして提供される混練可能な接着性シーラント組成物を形成する、項目１８〜２０のいずれか一項に記載の方法。
（項目２２）
前記混練可能な接着性シーラント組成物を平坦化してテープを形成する工程をさらに含む、項目１８〜２１のいずれか一項に記載の方法。
（項目２３）
前記混練可能な接着性シーラント組成物の長さに沿って１つまたは複数の横方向の折り目または切り込みを作製し、前記混練可能な接着性シーラント組成物を２つ以上のセグメントに分割する工程をさらに含む、項目１８〜２２のいずれか一項に記載の方法。
（項目２４）
接着剤としての、または表面、例えば石材、セラミック、金属、木材、もしくはプラスチックの表面のメンテナンスもしくは修理における、項目１〜１８のいずれか一項に記載の混練可能な接着性シーラント組成物の使用。
（項目２５）
実施例または添付の図のうちの１つもしくは複数を参照して、もしくは例示される、本明細書に実質的に記載される、混練可能な接着性シーラント組成物、方法、または使用。